(57)【要約】      （修正有）【課題】ルーズリーフ式電子保存装置の提供。【解決手段】下ケース内に電子保存装置と制御回路板が収容され、さらにカバーが下ケースの上に閉じ合わされ、下ケースの一側辺に複数の貫通するバインダー孔が設けられている。使用時には、下ケース１のバインダー孔にルーズリーフ式手帳のバインダーを結合でき、携帯使用に便利であり、並びに制御回路板により電子保存装置のデータ伝送が行なえ、またリーフ式携帯メモ帳と電子保存装置２を整合して一体となし、これにより携帯上の便利性を増すと共に使用上の便利性を増し、並びに何処でも何時でも使用できるようにする。このほか、使用者が必要に応じて保存容量の異なる電子保存装置に交換でき、これにより使用上の便利性を高め、応用上の適用性を増している。【選択図】図１
0003104273.tif 000002
【実用新案登録請求の範囲】
【請求項１】
ルーズリーフ式電子保存装置において、
上部に収容空間があり、一側辺より外向きに延伸片が延伸され、該延伸片を貫通する複数のバインダー孔が設けられ、この側辺以外の部分に開口が開設された下ケースと、
該収容空間内に収容された電子保存装置と、
該収容空間内に収容されると共に該電子保存装置に電気的に接続され、且つ下ケースの該開口内に収容されると共に下ケースの外部に露出する接続口を具えた伝送プラグに電気的に接続された制御回路板と、
該下ケースの上に閉じ合わされ並びに該収容空間を密封するカバーと、
を具えたことを特徴とする、ルーズリーフ式電子保存装置。
【請求項２】
請求項１記載のルーズリーフ式電子保存装置において、電子保存装置が２．５インチハードディスクとされたことを特徴とする、ルーズリーフ式電子保存装置。
【請求項３】
請求項１記載のルーズリーフ式電子保存装置において、伝送プラグが電線で制御回路板に電気的に接続されたことを特徴とする、ルーズリーフ式電子保存装置。
【請求項４】
請求項１記載のルーズリーフ式電子保存装置において、下ケースの前記側辺の内縁にスライドレールが設けられ、カバーの側辺に滑り溝が設けられ、該滑り溝が該スライドレールにスライド式に組み合わされたことを特徴とする、ルーズリーフ式電子保存装置。
【請求項５】
請求項１記載のルーズリーフ式電子保存装置において、下ケースの前記側辺の反対の辺にスライドレールが設けられ、且つカバーの外縁にＬ形凸縁と、該スライドレールにスライド式に組み合わされる滑り溝が設けられたことを特徴とする、ルーズリーフ式電子保存装置。
【考案の詳細な説明】
【技術分野】
【０００１】
本考案はルーズリーフ式電子保存装置に係り、特にコンピュータ装置に適用されるルーズリーフ式電子保存装置に関する。
【背景技術】
【０００２】
一般に会社員は、ルーズリーフ式の手帳を携帯し、会社での会議や外部での商談の際に、メモをとるのに用いている。
【０００３】
このほか、会社内部の会議や外部での商談の際には、一般にいわゆる携帯型の保存装置を携帯する場合があり、それは各種の報告や講演のデータを保存するのに用いられ、並びにコンピュータと組み合わせて使用される。
【０００４】
上述のルーズリーフ式手帳は使用者が手書き方式で紙に記述することができるだけで、その記事空間は有限であり、あまり多くのことは記録できない。携帯型の保存装置は異なる容量のデータを記録できるが、それとルーズリーフ式手帳は使用上、別個の個体に属し、携帯に不便であり、且つ一方のみを携帯してもう一方の携帯を忘れることもあり、使用上の問題を形成しやすく、並びに十分に理想的ではない。
【考案の開示】
【考案が解決しようとする課題】
【０００５】
本考案の主要な目的は、一種のルーズリーフ式電子保存装置を提供することにあり、それは、ルーズリーフ式手帳と電子保存装置を一体に整合し、これによ携帯上、及び使用上の便利性を増し、並びにいつでもどこでも使用できるようにしたものとする。
【０００６】
本考案のもう一つの目的は、一種のルーズリーフ式電子保存装置を提供することにあり、それは、異なる保存容量の電子保存装置に交換でき、これにより使用上の便利性と応用上の適用性を増すことができるものとする。
【課題を解決するための手段】
【０００７】
請求項１の考案は、ルーズリーフ式電子保存装置において、
上部に収容空間があり、一側辺より外向きに延伸片が延伸され、該延伸片を貫通する複数のバインダー孔が設けられ、この側辺以外の部分に開口が開設された下ケースと、
該収容空間内に収容された電子保存装置と、
該収容空間内に収容されると共に該電子保存装置に電気的に接続され、且つ下ケースの該開口内に収容されると共に下ケースの外部に露出する接続口を具えた伝送プラグに電気的に接続された制御回路板と、
該下ケースの上に閉じ合わされ並びに該収容空間を密封するカバーと、
を具えたことを特徴とする、ルーズリーフ式電子保存装置としている。
請求項２の考案は、請求項１記載のルーズリーフ式電子保存装置において、電子保存装置が２．５インチハードディスクとされたことを特徴とする、ルーズリーフ式電子保存装置としている。
請求項３の考案は、請求項１記載のルーズリーフ式電子保存装置において、伝送プラグが電線で制御回路板に電気的に接続されたことを特徴とする、ルーズリーフ式電子保存装置としている。
請求項４の考案は、請求項１記載のルーズリーフ式電子保存装置において、下ケースの前記側辺の内縁にスライドレールが設けられ、カバーの側辺に滑り溝が設けられ、該滑り溝が該スライドレールにスライド式に組み合わされたことを特徴とする、ルーズリーフ式電子保存装置としている。
請求項５の考案は、請求項１記載のルーズリーフ式電子保存装置において、下ケースの前記側辺の反対の辺にスライドレールが設けられ、且つカバーの外縁にＬ形凸縁と、該スライドレールにスライド式に組み合わされる滑り溝が設けられたことを特徴とする、ルーズリーフ式電子保存装置としている。
【考案の効果】
【０００８】
本考案は、一種のルーズリーフ式電子保存装置を提供し、それは、ルーズリーフ式手帳と電子保存装置を一体に整合し、これによ携帯上、及び使用上の便利性を増し、並びにいつでもどこでも使用できるようにしている。
【０００９】
本考案はまた、一種のルーズリーフ式電子保存装置を提供し、それは、異なる保存容量の電子保存装置に交換でき、これにより使用上の便利性と応用上の適用性を増すことができるようにしている。
【考案を実施するための最良の形態】
【００１０】
本考案は一種のルーズリーフ式電子保存装置を提供し、それは、下ケース、電子保存装置、制御回路板、及びカバーを具えている。そのうち、下ケースの上部に収容空間があり、且つ下ケースの一側辺より外向きに延伸片が延伸され、延伸片を貫通する複数のバインダー孔が設けられ、下ケースの該側辺以外の他の部分に開口が開設されている。
【００１１】
このほか、電子保存装置と制御回路板はいずれも上述の下ケースの収容空間内に収容され、且つ制御回路板は前述の電子保存装置に電気的に接続され、制御回路板はまた伝送プラグに電気的に接続され、この伝送プラグは下ケースの開口内に収容され、この伝送プラグは接続口を具え、該接続口は下ケースの開口を通り下ケース外部に露出している。
【００１２】
このほか、カバーは上述の下ケースの上に閉じ合わされ、並びに下ケースの収容空間を密封する。
【００１３】
使用時には、下ケースの複数のバインダー孔とルーズリーフ式手帳のバインダーを利用してルーズリーフ式手帳を結合して携帯することができ、且つある地点まで携帯して使用する時、制御回路板上の伝送プラグの接続口に外部コンピュータを接続できる。この時、制御回路板は前述の外部コンピュータと電子保存装置の間のデータ伝送を制御する。
【００１４】
これにより、ルーズリーフ式手帳と電子保存装置が整合されて一体とされ、これにより携帯上と使用上の便利性が増し、並びにいつでもどこでも使用できるものとされている。
【００１５】
このほか、使用者が上述のカバーを取り外した後、自分で異なる容量の電子保存装置に交換でき、これにより使用上の便利性と応用上の適用性を増すことができる。
【実施例１】
【００１６】
図１は本考案の第１実施例の立体分解図である。図２は本考案の第１実施例の立体組合せ図である。図３は本考案の第１実施例の実施状態表示図である。本考案のルーズリーフ式電子保存装置は、携帯型の手帳９と組み合わせて使用され、本実施例ではこの手帳９はルーズリーフ式手帳９とされ、複数のバインダー９１を具えている。
【００１７】
上述のルーズリーフ式電子保存装置は下ケース１、電子保存装置２、制御回路板３及びカバー４を具えている。そのうち、下ケース１の上部に収容空間１１があり、且つ下ケース１の一側辺１０より外向きに延伸片１２が延伸され、延伸片１２を貫通する複数のバインダー孔１２１が設けられ、このバインダー孔１２１は本実施例では円形孔とされ、且つそれは上述の手帳９のバインダー９１に対応し嵌合する。このほか、下ケース１の該側辺１０以外の他の部分に開口１３が開設されている。該開口１３内の上方と下方に凸点１３１が凸設され、且つ下ケース１の側辺１０内縁にスライドレール１２２が設けられ、並びに側辺１０と反対の側辺にもう一つのスライドレール１２３が設けられている。
【００１８】
このほか、図中の電子保存装置２は本実施例では２．５インチハードディスクが使用され、それは上述の下ケース１の収容空間１１内に収容され、制御回路板３もまた下ケース１の収容空間１１内に収容され、並びに電気的に電子保存装置２と接続されている。このほか、制御回路板３は電線３１１で伝送プラグ３１に電気的に接続され、この伝送プラグ３１は本実施例ではＵＳＢプラグとされ、且つそれは下ケース１の開口１３内に対応して収容され、伝送プラグ３１の外縁面に凹点３１３が凹設され、それは下ケース１の開口１３内の凸点１３１に対応し嵌合する。また、伝送プラグ３１は接続口３１０を具え、この接続口３１０は下ケース１の開口１３より下ケース１１の外部に露出している。
【００１９】
このほか、カバー４はその上表面に複数の放熱孔４３が開設され、且つカバー４の一側縁４１に滑り溝４１１が設けられ、カバー４の外縁にさらにＬ形の凸縁４２と、別の滑り溝４２１が設けられている。前述の滑り溝４１１は下ケース１１のスライドレール１２２にスライド式に組み合わされ、もう一つの滑り溝４２１は下ケース１１のもう一つのスライドレール１２３にスライド式に組み合わされ、こうしてカバー４が下ケース１に閉じ合わされ、並びに下ケース１の収容空間１１を密封する。
【００２０】
未使用時には、伝送プラグ３１はその凹点３１３の下ケース１の開口１３内の凸点１３１との相互組合せにより、位置決めの作用が形成される。使用時に、下ケース１がその複数のバインダー孔１２１を利用して手帳９に組み合わされ、携帯使用できる。且つある地点に携帯され使用される時、伝送プラグ３１の接続口３１０に外部コンピュータ（図示せず）を接続できる。注意されたいが、この時の伝送プラグ３１はその凹点３１３と下ケース１開口１３内の凸点１３１の相互組合せを枢設点とし、外向きに回転差せて外部コンピュータと電気的に接続させることができ、これと同時に、制御回路板３が前述の外部コンピュータと電子保存装置２の間のデータ伝送を制御する。
【００２１】
上述の下ケース１とカバー４はプラスチック或いは金属材料で形成され、一般には、使用する電子保存装置２はあまり多くの熱量を発生せず、このため放熱の問題を発生しない。しかし、本実施例に記載のようにカバー４に放熱孔４３を増設するならば、その放熱作用を強化できる。このほか、上述の伝送プラグ３１の凹点３１３、及び下ケース１の開口１３の凸点１３１の両者は反対に配置可能で、即ち凹凸を交換可能である。
【実施例２】
【００２２】
図４は本考案の第２実施例の実施状態を示す。その主要な構造は上述の第１実施例と同じであるが、伝送プラグ３１が延長線３１２により外部コンピュータ（図示せず）と電気的に接続されていることである。このような使用方式もまた上述の第１実施例に記載の各種効果を達成できる。
【実施例３】
【００２３】
図５は本考案の第３実施例の平面図である。その主要な構造は上述の第１実施例と同  じであるが、違いはそのバインダー孔５１に開放型円形孔が使用されていることである。
【実施例４】
【００２４】
図６は本考案の第４実施例の平面図である。その主要な構造は上述の第１実施例と同  じであるが、違いはそのバインダー孔５２に楕円形孔が使用されていることである。以上から分かるように、バインダー孔の形状に制限はなく、いずれも上述の第１実施例と同じ効果を達成できる。
【図面の簡単な説明】
【００２５】
【図１】本考案の第１実施例の立体分解図である。
【図２】本考案の第１実施例の立体組合せ図である。
【図３】本考案の第１実施例の実施状態表示図である。
【図４】本考案の第２実施例の実施状態表示図である。
【図５】本考案の第３実施例の平面図である。
【図６】本考案の第４実施例の平面図である。
【符号の説明】
【００２６】
１  下ケース          １０  側辺            １１  収容空間
１２  延伸片          １２１  バインダー孔  １２２  スライドレール
１２３  スライドレール  １３  開口          １３１  凸点
２  電子保存装置        ３  制御回路板      ３１  伝送プラグ
３１０  接続口          ３１１  電線        ３１２  延長線
３１３  凹点            ４  カバー          ４１  側縁
４１１  滑り溝          ４２  Ｌ形凸縁      ４２１  滑り溝
４３  放熱孔            ５１  バインダー孔  ５２  バインダー孔
９  手帳                ９１  バインダー
【図１】
0003104273.tif 000003
【図２】
0003104273.tif 000004
【図３】
0003104273.tif 000005
【図４】
0003104273.tif 000006
【図５】
0003104273.tif 000007
【図６】
0003104273.tif 000008